(57)【要約】【課題】工業製品に取り付けられてもこの工業製品の外観意匠を複雑化させないスイッチ装置を提供する。【解決手段】スイッチハウジング１０２は、中空であり、開口１０５を有している。スイッチハウジング１０２の側面外側からは、ラッチ１０３が突出する。ラッチ１０３は、スイッチハウジング１０２に向かって進退する。スイッチハウジング１０２の側面外側からは、リブ１０９も突出する。リブ１０９は、ラッチ１０３よりも開口１０５側かつ開口１０５から離れた箇所に設けられる。スイッチ装置１０１でのオン／オフを切り替えるためのシーソー体１０４は、開口１０５側からスイッチハウジング１０２に組み付けられ、開口１０５を覆う。開口１０５側から見ると、シーソー体１０４の外周は、リブ１０９の外周よりも外側に位置する。【選択図】図１
2011233344.tif 000002
【特許請求の範囲】
【請求項１】
開口を有する中空のスイッチハウジングと、
前記スイッチハウジングの側面外側から突出し前記スイッチハウジングに向かって進退するラッチと、
前記ラッチよりも前記開口側かつ前記開口から離れた箇所で前記スイッチハウジングの側面外側から突出するリブと、
前記開口側から前記スイッチハウジングに組み付けられて前記開口を覆う操作体と、
を備え、
前記開口側から見て、前記操作体の外周がリブの外周よりも外側に位置する、
スイッチ装置。
【請求項２】
第１の挿通孔を形成する取付対象物の意匠面と、前記意匠面よりも前記取付対象物の内側方向に位置して前記第１の挿通孔に対面し前記第１の挿通孔よりも小さい第２の挿通孔を形成する収納空間底面と、前記意匠面と前記収納空間底面とを連結して収納空間を形成する収納空間側面とを備える取付対象物に取り付けられて前記収納空間に収納されるスイッチ装置であって、
開口を有する中空のスイッチハウジングと、
前記スイッチハウジングの側面外側から突出し前記スイッチハウジングに向かって進退するラッチと、
前記ラッチよりも前記開口側かつ前記開口から離れた箇所で前記スイッチハウジングの側面外側から突出するリブと、
前記開口側から前記スイッチハウジングに組み付けられて前記開口を覆う操作体と、
を備え、
前記開口側から見て、前記操作体の外周がリブの外周よりも外側に位置し、且つ、前記操作体の外周は前記第１の挿通孔の内周と一致し、
前記スイッチハウジングにおける前記開口とは反対側の端部を前記第２の挿通孔に挿通させ、前記リブを前記収納空間底面に接触させた状態で前記収納空間に収納される、
スイッチ装置。
【請求項３】
前記収納空間に収納された状態で、前記操作体が前記意匠面と面一をなす、
請求項２記載のスイッチ装置。
【発明の詳細な説明】
【技術分野】
【０００１】
本発明は、工業製品に用いられこの工業製品の外観に現れるスイッチ装置に関する。
【背景技術】
【０００２】
特許文献１には、電源スイッチの取付け構造の発明が開示されている。この取付構造は、ベースカバー２の前面に設けられ電源スイッチ１が通り抜け可能な角穴開口３と、開口部の内側に取付けられた溝つきのリブ４と、リブに上方から挿入される止め板５からなっている。止め板５は下方に開いた「コ」の字形開口を有する。この開口は、電源スイッチ１の本体部分の両側面にある可動バネを押し込めば挿入可能であるが、スイッチの前面板６は進入不可能な大きさになっている。止め板５をリブ４に挿入した後、電源スイッチ１を開口３から内方に押し込むと、可動バネ７が中央に押し込まれてスイッチ１の本体部分は止め板５の「コ」の字形開口から進入し、スイッチ１の前面板６が止め板５に接するまでスイッチ１は止め板５に嵌め込まれる。特許文献１によれば、この電源スイッチの取付け構造によって、デザイン上の問題を生ずることなく、装置カバー側面の任意の位置に、ワンタッチで波形電源スイッチを取付けることができる、とされる。
【先行技術文献】
【特許文献】
【０００３】
【特許文献１】実開平０５−０７２０７７号公報
【発明の概要】
【発明が解決しようとする課題】
【０００４】
近年、各種の工業製品を製造するに際し、その意匠設計の現場では、工業製品の外観をシンプルに構成することが求められている。そのために、例えば、工業製品の外観に現れるハウジングを複数の部品で構成するのではなく、樹脂を射出成形したり金属パネルに対して絞り加工を行ったりして一部品で構成することが行われている。一方、工業製品の外観には、使用者がこの工業製品を操作するためのスイッチ装置が現れている。
【０００５】
ここで、特許文献１に記載の電源スイッチ１（波型電源スイッチ）について考える。この電源スイッチ１が開口３に挿通されてベースカバー２に取り付けられると、特許文献１の図２（ｂ）に示されるように、シーソー体も前面板６も取付対象物（特許文献１では、プリンタ装置）の外観に現れ、さらに、前面板６がベースカバー２に対して取付対象物（プリンタ装置）の内側方向に没して位置付けられる。このため、取付対象物（プリンタ装置）において電源スイッチ１の周囲近傍で配色バランスや凹凸、陰影等が複雑化する。しかしながら、これでは、取付対象物全体の外観意匠の統一感が崩れる。
【０００６】
本発明は、工業製品に取り付けられてもこの工業製品の外観意匠を複雑化させないスイッチ装置を提供することを目的とする。
【課題を解決するための手段】
【０００７】
本発明のスイッチ装置は、開口を有する中空のスイッチハウジングと、前記スイッチハウジングの側面外側から突出し前記スイッチハウジングに向かって進退するラッチと、前記ラッチよりも前記開口側かつ前記開口から離れた箇所で前記スイッチハウジングの側面外側から突出するリブと、前記開口側から前記スイッチハウジングに組み付けられて前記開口を覆う操作体と、を備え、前記開口側から見て、前記操作体の外周がリブの外周よりも外側に位置する。
【０００８】
別の面から見た本発明のスイッチ装置は、第１の挿通孔を形成する取付対象物の意匠面と、前記意匠面よりも前記取付対象物の内側方向に位置して前記第１の挿通孔に対面し前記第１の挿通孔よりも小さい第２の挿通孔を形成する収納空間底面と、前記意匠面と前記収納空間底面とを連結して収納空間を形成する収納空間側面とを備える取付対象物に取り付けられて前記収納空間に収納されるスイッチ装置であって、開口を有する中空のスイッチハウジングと、前記スイッチハウジングの側面外側から突出し前記スイッチハウジングに向かって進退するラッチと、前記ラッチよりも前記開口側かつ前記開口から離れた箇所で前記スイッチハウジングの側面外側から突出するリブと、前記開口側から前記スイッチハウジングに組み付けられて前記開口を覆う操作体と、を備え、前記開口側から見て、前記操作体の外周がリブの外周よりも外側に位置し、且つ、前記操作体の外周は前記第１の挿通孔の内周と一致し、前記スイッチハウジングにおける前記開口とは反対側の端部を前記第２の挿通孔に挿通させ、前記リブを前記収納空間底面に接触させた状態で前記収納空間に収納される。
【発明の効果】
【０００９】
本発明によれば、スイッチ装置が取付対象物に取り付けられると、シーソー体はスイッチハウジングやリブを隠し、取付対象物の外観にシーソー体のみが現れることになる。したがって、工業製品に取り付けられてもこの工業製品の外観意匠を複雑化させないスイッチ装置を提供することができる。
【図面の簡単な説明】
【００１０】
【図１】複写機に取り付けられた状態のスイッチ装置の斜視図である。
【図２】複写機に取り付けられた状態のスイッチ装置の平面図である。
【図３】スイッチ装置が取り付けられていない状態の複写機の平面図である。
【図４】スイッチ装置の斜視図である。
【図５】スイッチ装置の分解斜視図である。
【図６】シーソー体の平面図である。
【図７】シーソー体の背面図である。
【図８】電気的接続が解除された状態のスイッチ装置の側面図である。
【図９】電気的接続がなされている状態のスイッチ装置の側面図である。
【図１０】図８のＢ−Ｂ線断面図である。
【発明を実施するための形態】
【００１１】
実施の一形態を、図１ないし図１０に基づいて説明する。本実施の形態は、シーソー体を備え、複写機に取り付ける場合のスイッチ装置への適用例である。この場合、シーソー体は、特許請求の範囲における「操作体」に相当する。また、複写機は、特許請求の範囲における「取付対象物」に相当する。
【００１２】
図１は、複写機５０１に取り付けられた状態のスイッチ装置１０１の斜視図である。図２は、複写機５０１に取り付けられた状態のスイッチ装置１０１の平面図である。図３は、スイッチ装置１０１が取り付けられていない状態の複写機５０１の平面図である。複写機５０１は、ハウジング５０２を有する。このハウジング５０２は、複写機５０１の各種の機能を実現するための各種部品を収納する。また、ハウジング５０２の外側面は、意匠面５０３となっている。
【００１３】
ハウジング５０２には、意匠面５０３に開口する第１の挿通孔５０４が形成されている。第１の挿通孔５０４は、矩形をなしている。ハウジング５０２では、収納空間側部５０５が、第１の挿通孔５０４から複写機５０１の内側方向に向けて延びる。収納空間側部５０５は、筒状をなし、意匠面５０３に対して直交する方向に延びる。収納空間側部５０５の断面形状は、第１の挿通孔５０４の縁と同じである。第１の挿通孔５０４の先端には、収納空間底部５０６が設けられる。収納空間底部５０６は、収納空間側部５０５の断面方向に延びる平坦な収納空間底面５０７を形成する。収納空間底部５０６には、収納空間底面５０７に開口する第２の挿通孔５０８が形成されている。第２の挿通孔５０８は、矩形形状をなし、第１の挿通孔５０４に対面する。第２の挿通孔５０８の開口面積は、第１の挿通孔５０４の開口面積よりも小さい。このようにして、複写機５０１では、収納空間側部５０５の内側面である収納空間側面５０９が意匠面５０３と収納空間底面５０７とを連結し、収納空間側面５０９と収納空間底面５０７とにより囲われた収納空間５１０が形成される。
【００１４】
ハウジング５０２が樹脂素材で形成される場合、収納空間側部５０５及び収納空間底部５０６は、一例として、雄型及び雌型からなる金型を用いた射出成形により形成される。また、ハウジング５０２が金属素材で形成される場合、収納空間側部５０５及び収納空間底部５０６は、一例として、金属板を絞り加工することで形成される。
【００１５】
図４は、スイッチ装置１０１の斜視図である。図５は、スイッチ装置１０１の分解斜視図である。スイッチ装置１０１は、上記のように形成された収納空間５１０に収納された状態で複写機５０１に取り付けられるものである。スイッチ装置１０１は、スイッチハウジング１０２と、ラッチ１０３と、シーソー体１０４とを備える。
【００１６】
スイッチハウジング１０２は、略直方体形状の中空のボックス体であり、平面視で細長い長方形形状に見える。スイッチハウジング１０２は、その内部にスイッチ素子（図示せず）を収納する。
【００１７】
スイッチハウジング１０２の上面には、開口１０５が形成されている。スイッチハウジング１０２の長辺側の側面外側で開口１０５の近傍には、軸部１０６が突出する。
【００１８】
ラッチ１０３は、スイッチハウジング１０２の短辺側の側面外側でスイッチハウジング１０２の下端に寄せて設けられている。ラッチ１０３は、「く」字形状に折れ曲がった形状をなしていて、スイッチハウジング１０２から外側に突出する。ラッチ１０３の外側上方で斜め上方向を向く斜面には、滑り止め部１０７が形成されている。ラッチ１０３は弾性を有し、「く」字形状の頂部１０８付近が押されるとラッチ１０３が撓んで頂部１０８はスイッチハウジング１０２に近づく。そして、頂部１０８付近に加えられた力がなくなると、ラッチ１０３が元の形状に戻ろうとして頂部１０８はスイッチハウジング１０２から離れる。
【００１９】
スイッチハウジング１０２の側面外側からは、リブ１０９が突出する。リブ１０９は、ラッチ１０３よりも開口１０５側でこのラッチ１０３に隣接して位置し、かつ、開口１０５から離れている。リブ１０９は、スイッチハウジング１０２の長辺側の側面外側及び短辺側の側面外側のいずれからも立ち上がり連なって、スイッチハウジング１０２の外周を囲むような枠状をなしている。
【００２０】
スイッチハウジング１０２の底面からは、二つの配線片１１０が突出する。各配線片１１０は、ハウジング５０２内の機器から延びる電線（図示せず）の端部に連結される。
【００２１】
図６は、シーソー体１０４の平面図である。図７は、シーソー体１０４の背面図である。図４から図７に基づいて、シーソー体１０４について説明する。シーソー体１０４は、舟形に形成された部材であり、この舟形の底面を上方に向けて用いられる。シーソー体１０４には、操作部（図示せず）が組み込まれている。この操作部は、シーソー体１０４の動きに応じて、スイッチハウジング１０２に組み込まれ配線片１１０に繋がっているスイッチ素子（図示せず）を動かす。
【００２２】
シーソー体１０４の上面（舟形の底面）は、この上面の短辺側の両側部がこの上面の中央部分よりも上方に突出しているように反っている。シーソー体１０４の一方の短辺側（例えば、図４における右側）は、オン側Ｓ１である。また、シーソー体１０４の他方の短辺側（例えば、図４における左側）は、オフ側Ｓ２である。このため、シーソー体１０４の上面（舟形の底面）で一方の短辺側（オン側）には、オン側／オフ側を識別するための識別突起（図示せず）を突出させて設けても良い。
【００２３】
シーソー体１０４の長辺側の両側部には、軸受孔１１３が設けられる。シーソー体１０４は、軸受孔１１３に軸部１０６を嵌合させることで、開口１０５側からスイッチハウジング１０２に組み付けられる。これにより、シーソー体１０４は、開口１０５を覆い、軸受孔１１３を回転中心として揺動自在となる。この状態からシーソー体１０４のオン側Ｓ１の上面が押し下げられると（図９参照）、シーソー体１０４に組み込まれている操作部（図示せず）がスイッチ素子（図示せず）を動かし二つの配線片１１０を電気的に接続する。また、シーソー体１０４のオフ側Ｓ２の上面が押し下げられると（図８参照）、シーソー体１０４に組み込まれている操作部がスイッチ素子（図示せず）を動かし二つの配線片１１０の間の電気的接続を解除する。
【００２４】
図８は、電気的接続が解除された状態のスイッチ装置１０１の側面図である。図９は、電気的接続がなされている状態のスイッチ装置１０１の側面図である。図８及び図９のいずれも、収納空間側部５０５の一部と収納空間底部５０６とについて、図２のＡ−Ａ線で断面視して示している。スイッチ装置１０１を複写機５０１に取り付ける場合、スイッチハウジング１０２における開口１０５とは反対側に位置する底面側端部１１４を第２の挿通孔５０８に挿通させ、リブ１０９を収納空間底面５０７に接触させる。このとき、ラッチ１０３における頂部１０８よりも下方の部分は第２の挿通孔５０８の縁に接触してラッチ１０３が撓み、頂部１０８はスイッチハウジング１０２に近づく。そして、頂部１０８が第２の挿通孔５０８を通過すると、ラッチ１０３はそれ自身の弾性力によって元の形状に戻ろうとして、頂部１０８はスイッチハウジング１０２から離れる。これにより、滑り止め部１０７が収納空間底部５０６に接触し、スイッチ装置１０１が収納空間５１０から外れなくなる。そして、シーソー体１０４の上面でオン側Ｓ１の端部、及び、この上面でオフ側Ｓ２の端部は、いずれも、押下されると意匠面５０３と面一をなす。スイッチ装置１０１が上記のようにして収納空間５１０に収納された後、配線片１１０には、ハウジング５０２内の機器から延びる電線（図示せず）の端部が連結される。
【００２５】
図１０は、図８のＢ−Ｂ線断面図である。図８から図１０に基づいて説明する。図１０では、シーソー体１０４におけるオフ側Ｓ２の縁を一点鎖線で示している。シーソー体１０４は、スイッチハウジング１０２の開口１０５を覆う。そして、開口１０５側から見ると、シーソー体１０４の外周は、リブ１０９の外周よりも外側に位置する。さらに、シーソー体１０４の外周は、第１の挿通孔５０４の内周と一致する。このため、スイッチ装置１０１は複写機５０１に取り付けられると、シーソー体１０４はスイッチハウジング１０２やリブ１０９を隠し、複写機５０１の外観にシーソー体１０４のみが現れることになる。したがって、スイッチ装置１０１は、複写機５０１に取り付けられてもこの複写機５０１の外観意匠を複雑化させず、複写機５０１の外観の意匠設計の自由度が上昇する。さらに、収納空間５１０はシンプルな形状ゆえ、簡易な構成の金型を用いた射出成形や、金属板の絞り加工等、簡易な加工で収納空間５１０を形成することができ、製造コストが低下する。
【００２６】
さらに、シーソー体１０４が押下されるとこのシーソー体１０４と意匠面５０３とは面一をなす。このため、複写機５０１の外観での凹凸がなくなり、デザインとしてもシンプルになり、複写機５０１の使用者がシーソー体１０４に触って意図せずにシーソー体１０４を動かしてしまうようなことも起こりにくくなる。
【００２７】
また、スイッチ装置１０１は、ネジや接着剤等を用いることなく、第１の挿通孔５０４及び第２の挿通孔５０８に挿入するだけで確実に複写機５０１に取り付けられる。このため、複写機５０１の組立工程も簡略化される。そして、スイッチ装置１０１での電気的接続及びその解除を切り替えるためにシーソー体１０４に加える力の方向と、スイッチ装置１０１を複写機５０１に装着するために加える力の方向とは一致しており、このため、使用者が複写機５０１を使用するときにスイッチ装置１０１を外すような方向の力が加わることがない。
【００２８】
なお、上記の実施の形態では、複写機５０１が取付対象物の一例となっているが、スイッチ装置１０１は、複写機５０１のみならず、テレビ、コンピュータ機器等の各種の工業製品に取り付けることができる。また、上記の実施の形態では、シーソー体１０４が操作体の一例となっているが、この操作体は、プッシュスイッチの操作ボタンや、鍵スイッチに備わり鍵を挿入されて回転する回転体であってもよい。
【符号の説明】
【００２９】
１０１  スイッチ装置
１０２  スイッチハウジング
１０３  ラッチ
１０４  シーソー体（操作体）
１０５  開口
１０９  リブ
１１４  底面側端部（スイッチハウジングにおける開口とは反対側の端部）
５０１  複写機（取付対象物）
５０３  意匠面
５０４  第１の挿通孔
５０７  収納空間底面
５０８  第２の挿通孔
５０９  収納空間側面
５１０  収納空間
【図１】
2011233344.tif 000003
【図２】
2011233344.tif 000004
【図３】
2011233344.tif 000005
【図４】
2011233344.tif 000006
【図５】
2011233344.tif 000007
【図６】
2011233344.tif 000008
【図７】
2011233344.tif 000009
【図８】
2011233344.tif 000010
【図９】
2011233344.tif 000011
【図１０】
2011233344.tif 000012